(57)【特許請求の範囲】
【請求項１】
チップカード（２）のための挿入スロット（１）を備えたケース（３）、読取りトラックに対応する数の接触部（６、７）および接触リード（４）に結合された接触キャリヤフレーム（５）を有するチップカード用の読取り装置において、接触キャリヤフレーム（５）はケース（３）内に固定された接触リード（４）から自由に弾力的に保持され、接触キャリヤフレーム（５）を固定するために、ねじりばねアーム（８）によってケース（３）内に取付けられた、パワーアーム（９）とワークアーム（１０）を有するダブルアームレバー（９、１０）が備えられており、ダブルアームレバーのパワーアーム（９）にはチップカード（２）の挿入経路に傾斜ランプ（９ａ）が備えられており、傾斜ランプ（９ａ）は、挿入スロット（１）にチップカード（２）を挿入した際にチップカードの縁におけるダブルアームレバーの回転およびねじりばねアーム（８）の張力によって最終位置まで滑るよう位置し、この位置においてダブルアームレバー（９、１０）のワークアーム（１０）によって押さえつけられた接触キャリヤフレーム（５）と共に接触部（６、７）および傾斜ランプ（９ａ）の端は上部からチップカード（２）に接触し、一方では接触キャリヤフレーム（５）をチップカード（２）に、他方では接触部（６、７）を対応する読取りトラックに押しつけることを特徴とするチップカード用の読取り装置。
【請求項２】
接触リード（４）は挿入スロット（１）の側面から接触キャリヤフレーム（５）に導入されており、ねじりばねアーム（８）、パワーアーム（９）、ワークアーム（１０）を備える作動要素は接触キャリヤフレーム（５）のチップカード（２）のための挿入スロット（１）に対向した面に配置されていることを特徴とする請求項１記載のチップカード用の読取り装置。
【請求項３】
接触キャリヤフレーム（５）は横ピン（１４）を備え、ワークアーム（１０）はフォークとして設計されており、該アームは非作動状態では固定されずにピン（１４）上に位置していることを特徴とする請求項１または２記載のチップカード用の読取り装置。
【請求項４】
ケース（３）において、接点収納枠（２１）によって包囲されたリミットスイッチを備え、リミットスイッチの接点（２２）は固定の目的のためにチップカード用の挿入経路に位置していることを特徴とする請求項１または２記載のチップカード用の読取り装置。
【請求項５】
リミットスイッチの接点（２２）は可撓性部材（２３）によって接点収納枠（２１）の壁に回旋できるように取付けられていることを特徴とする請求項４記載のチップカード用の読取り装置。
【発明の詳細な説明】
技術分野
本発明は、請求項１の前文に従うチップカード用の読取り装置に関する。
背景技術
このような読取り装置として、米国特許第４，９７６，６３０号が知られているが、この装置では、フレームは互いに対向する面からフレームに導入された接触リードによって保持されている。このような周知のチップカード読取り装置では、チップカードは挿入スロットに挿入する場合にキャリッジの駆動体にぶつかり、さらに挿入するとこの駆動体を連動させ、キャリッジは継手リンク上を滑り、接触部にチップの条導体が付着してわずかに持ち上げられてしまう。この周知の読取り装置の欠点は、構造的に費用がかかることのほか、可撓性導線によって接触モジュールが電源と接続されていなければならず、これにより読取り装置は故障を起こしやすくなるという点にある。
さらに固定された接触部を備えたチップカード用の読取り装置が知られているが、この場合、接触部はチップカードの挿入全長にわたって滑るため、特別な場合以外は実際には使用されていない。
本発明の課題は、チップカード、とくにチップカード挿入時のチップ上の接触部の滑りが回避されるチップカード用の読取り装置を提供することである。
この課題は、請求項１において再現された特徴を有するチップカード用の読取り装置により解決される。
発明の開示
本発明によれば、電気的接触は継手リンクの線状に移動されるキャリッジの側面排除によりカードを接触部に接近させることによってではなく、逆に接触部をカード方向に旋回させることにより得られるチップカード用の読取り装置が提供されるが、この場合、接触部をその対向位置に保持する接触フレームは接触リードにより姿勢安定性ではなく弾力性および可撓性に保持されているため、限定的な電気的機能以外に、こうした接触フレームの可撓性キャリアと共にその対向位置のフレーム内において安定化された接触部が形成される。カード上の接触部の位置が変化することはない。すなわち、カードまたはチップへの接触部の接着はカードが最終位置に達する直前に起こる。さらに、もう１つの基本的な利点として、ねじりばねアームに保持されている操作部材には２つの機能がある。すなわち、チップカードの挿入時に接触部を保持するフレームを押さえつける機能と、その挿入位置においてチップカードをしっかり（弾力的に）固定する機能である。従って、この読取り装置は少ない部品のみからなり、組立てがきわめて簡単かつ容易な構造を有する。
それぞれの請求項において特徴が示された本発明の詳細を、添付の図面に従って以下に説明する。
【図面の簡単な説明】
図１は、本発明によるチップカード読取り装置の接触装置を示す図である。
図２は、図１のＡ−Ａを示す図である。
図３は、図１のＢ−Ｂを示す図である。
図４は、図１のＣ−Ｃを示す図である。
図５は、チップカード読取りの最終遮断器を示す図である。
発明を実施するための最良の形態
図面において再現されたこのチップカード用の読取り装置は、接触リード４によって読取り電子装置（不図示）と接続されたチップカード２のための挿入スロット１および読取りトラックに対応する数の接触部（６、７）を備えたケース３からなる。接触リード４と接触キャリヤフレーム５が接続されており、該接触フレーム５の主な目的は、接触部６、７をチップデータの読取りのために必要な位置に保持することである。
ケース３内に保持された接触リード４は一方から平行に接触リード４から自由に弾力的に保持された接触キャリヤフレーム５に導入され、接触キャリヤ５の接触リード４に対向した側面にはダブルアームレバー９、１０として設計された作動要素が保持されており、本実施例における配置は、接触リード４は挿入スロット１の側面から接触キャリヤフレーム５に導入され、それに応じて作動要素８、９、１０は接触キャリヤフレーム５のチップカード２のための挿入スロットに対向した側面上に配置されるようになっている。この配置の利点は、一方ではチップカードによる接触部の後方把握と共に曲げが回避され、他方では周知のチップカード読取り装置と異なり、選択的に切断クランプゾーン、プレス技術、ＳＭＤ技術または半田付けを用いて、任意に接触の電気的結合を行うことができることである。
作動要素はケース３内に斜めに延在するねじりばねアーム８によって保持されており、パワーアーム９はチップカード２の挿入経路にあり、ワークアーム１０はねじりばねアーム８の張力によってチップカード２の挿入時に回転され、接触キャリヤアーム５と共にこれを保持する接触６、７をチップカード２を押しつけるようになっている。この目的のために、接触キャリヤフレーム５は横ピン１４を備え、固定要素８、９、１０のワークアーム１０はフォークとして設計され、リリーフ位置における該アームは固定されずにピン上に配置されている。
図５に示すように、この読取り装置は接点２２を有するリミットスイッチを備える。接点２２は好ましくは接点収納枠２１の中に配置される。リミットスイッチの接点２２につながる案内部２４は弾力性を持ち、可撓性要素２３によって回旋できるように接点収納枠２１の壁に取付けられる。案内部２４は可撓性要素２３と部分２５との間の領域（概ねパワーアーム９の平面に）に設けられる。また、チップカード２のための挿入経路に位置するカム２６が備えられている。
読取り装置を固定するために、チップカード２は、固定レバー９、１０のパワーアームおよびカム２６に基本的に同時にぶつかるまで読取り装置のスロット１に挿入させる。さらに挿入すると、一方ではねじりばねアーム８の張力により固定レバー９、１０の回旋が生じ、該固定レバーのワークアーム１０はフレーム５と共に接触部６、７をピン１４への圧力によって実際的に平行に下方のカードを押さえつける。この場合、接触部の滑りは、接触部の清掃のために不可欠な範囲ではまったく生じないか、ほとんど生じない。同時に、接触部２２はカム２６にかけられた圧力により、影響を受けた弾力可撓性リードの回旋のため、取付け部２３の周囲に固定されると共に読取り機能は解除される。
【図１】
0003928736.tif 000002
【図２】
0003928736.tif 000003
【図３】
0003928736.tif 000004
【図４】
0003928736.tif 000005
【図５】
0003928736.tif 000006